【手続補正書】
【提出日】平成22年2月5日(2010.2.5)
【手続補正１】
【補正対象書類名】特許請求の範囲
【補正対象項目名】全文
【補正方法】変更
【補正の内容】
【特許請求の範囲】
【請求項１】
複数の鋭角の傾斜構造を有する表面をもつ本体；および
該光を分散するための前側の出口面を有する該傾斜構造のそれぞれからなる照明を導くための光学装置であって、光が該装置の１つの末端で入力したとき、該傾斜構造のそれぞれの前側の出口面から実質的に分散するまで、光が該本体内で実質的にすべて内部的に反射することを特徴とする照明を導くための光学装置。
【請求項２】
該本体が、光を入力するための該１つの末端に相当する第１の末端、第２の末端および該第１の末端と該第２の末端の間に延在する光学軸を有し、該傾斜構造が、それぞれ該軸に対して鋭角の傾斜表面を有し、そして該傾斜構造のそれぞれの前側の出口面が、該軸の垂直方向に対して鋭角の面である請求項１の装置。
【請求項３】
ΘＲが該軸に対する傾斜表面の角度を表し；
ΘＥＦが該軸の垂直方向に対する該構造のそれぞれの該前側の出口面の角度を表し；
該本体が屈折率を有する物質からなり；
ＮＡは該装置の該１つの末端から入射した光の開口数であり；
Ｒｎが該本体の材料の屈折率対該本体を囲む媒体の屈折率の比であり；そして
該角度ΘＲおよびΘＥＦが、少なくとも式
【数１】
2009526368.tif 000001
に従って選択される請求項２の装置。
【請求項４】
該表面が第１の表面であり、該傾斜構造が第１の傾斜構造であり、該本体が第１の部分と第２の部分とを有し、その場合、該第１の傾斜構造は該第１の部分の該第１の表面に沿って設けられ、該装置は、さらに互いに交互する該底部の表面に沿う第２の傾斜構造および下り構造からなり、そして光が該本体の該第１の部分から受容されるとき、該第２の傾斜構造のそれぞれの傾斜面から反射により分散されて該本体の第２の表面を出るまで、または該傾斜面から伝達されて次の隣接する下り構造に戻されるまで、光が該本体の該第２の部分内で完全に内部で反射される請求項１の装置。
【請求項５】
該第２の傾斜構造のそれぞれが、該軸に対して鋭角である昇り表面からなり、そして該下り構造のそれぞれが、該軸の垂直方向に対して鋭角である下り表面従って該第１の表面に実質的に平行な表面からなる請求項４の装置。
【請求項６】
傾斜表面の高さ、傾斜表面の角度および前側の出口面の角度が、該表面に沿って該傾斜構造の１つ以上について変化する請求項２の装置。
【請求項７】
該装置の該軸と同じ方向に延在する一連の構造体を有する頂部の表面および該軸と平行する方向に延圧する底部の表面を有する本体からなる照明を導くための装置であって、
該構造体のそれぞれは、昇り表面とそれに続く下り表面をもち、該昇り表面は、該軸に対して傾斜しおり、該下り表面は該軸の垂直方向に対して傾斜しており、光が該構造体の昇り表面および該底部の表面に沿ってそのすべてまたは実質的部分が内部的に反射される間、該構造体の該下り表面のそれぞれから該１つの末端で光が該本体に入力されるとき、光の実質的な分散を可能にすることを特徴とする照明を導くための装置。
【請求項８】
複数の傾斜構造および下り構造を有する第１の表面および該第１の表面に対し対向する側面にある第２の表面を有する本体からなる照明を導くための装置であって、該傾斜構造および下り構造が該底部の表面に沿って互いに交互し、そして該傾斜構造および下り構造は、該第２の表面と実質的に平行な装置の軸に相当する次元に沿って延在し、そして光が該本体の１つの末端から受容されるとき、該傾斜構造の１つから該頂部の表面からの出口へ反射により分散されて該第２の表面から出るまで、または該下り構造の隣接する１つを経て該傾斜構造の１つを通って伝達されて該本体中に戻されるまで、光が該本体内ですべて内部的に反射されることを特徴とする照明を導くための装置。
【請求項９】
該傾斜構造のそれぞれが、該軸に対して鋭角の昇り表面をもち、該下り構造のそれぞれが、該軸の垂直方向に対して鋭角である下り表面および該第２の表面に実質上平行である表面をもつ請求項８の装置。
【請求項１０】
頂部の表面および底部の表面、並びに装置の長さに沿って光を入力するための入力末端からの複数の連続する部分を有する本体からなる照明を導くための光学装置であって；
該部分の少なくとも１つの頂部の表面は、前側の出口面を有する複数の第１の傾斜構造を有し、その場合、光は、該頂部の表面に沿って該前側の出口面からの分散のために該部分の該１つ内で反射されることができ；
該部分の少なくとも１つ以外の中の少なくとも１つの底部の表面は、複数の第２の傾斜構造を有し、その場合、光は、該第２の傾斜構造の１つからの反射により分散されて該頂部の表面から出るために該部分の少なくとも１つ以外の中の該１つ内で反射されうることを特徴とする照明を導くための光学装置。
【請求項１１】
頂部の表面および底部の表面を有する光誘導装置および該光誘導装置中に光を入力するための光源からなる照明装置であって；
該頂部の表面および底部の表面の少なくとも１つは、該頂部の表面に沿って照明をもたらす鋭角の傾斜構造のパターンからなり、その場合、該傾斜構造が底部の表面に沿って存在するとき、該傾斜構造は該頂部の表面から光を導き、そして該傾斜構造が該頂部の表面に沿って存在するとき、該傾斜構造は該傾斜構造の鋭角の出口面から光を導くことを特徴とする照明装置。
【手続補正２】
【補正対象書類名】明細書
【補正対象項目名】０１６７
【補正方法】変更
【補正の内容】
【０１６７】
前述から、光学照明誘導装置並びにこれらの装置を使用する証明器具が提供されることが明らかになった。本明細書に記述された本発明の光学装置および照明器具における変化および改変は、疑いもなく、当業者にそれら自身で示唆している。従って、前述は、例示として考え、本発明を制限するものとして考えてはならない。
１．複数の前側の出口面を提供する１つの階段状構造または複数の鋭角の傾斜構造を有する表面をもつ本体からなる照明を導くための光学装置であって、光が装置の１つの末端で入力したとき、該前側の出口面により分散され、そして該傾斜構造のそれぞれの前側の出口面から分散するまで、該光の少なくとも実質的な部分が該本体の内部で反射することを特徴とする照明を導くための光学装置。
２．複数の鋭角の傾斜構造を有する表面をもつ本体；および
該光を分散するための前側の出口面を有する該傾斜構造のそれぞれからなる照明を導くための光学装置であって、光が該装置の１つの末端で入力したとき、該傾斜構造のそれぞれの前側の出口面から分散するまで、光が該本体内で実質的にすべて内部的に反射することを特徴とする照明を導くための光学装置。
３．該前側の出口面の末端が、該表面に沿って次の傾斜構造の開始と接触する上記の装置。
４．該表面を第１の表面とし、該本体が第２の表面を有し、その場合、該第１および第２の表面が、それぞれ装置の頂部の表面および底部の表面であり、そして該第２の表面が実質的に平らである上記の装置。
５．該傾斜構造のそれぞれ隣接する組が、該第２の表面に実質的に平行であってしかも面している平らな面により分けられている上記の装置。
６．該本体が、光を入力するための該１つの末端に相当する第１の末端および第２の末端を有し、該傾斜構造のそれぞれが、該第１の表面に沿ってサイズが等しく、そして該傾斜構造が、それぞれ、該第１の末端と第２の末端との間で該第２の表面に向かって逐次テーパーを付けられて装置の厚さが漸次薄くなる上記の装置。
７．該第２の末端での厚さが実質的に零であり、そして該本体中に入力する該光の実質的にすべてが、該傾斜構造の該前側の出口面から分散する上記の装置。
８．該本体が、光を入力するための該１つの末端に相当する第１の末端および第２の末端を有し、該傾斜構造が、装置の軸に相当する該第１の末端と第２の末端との間の次元に沿って延在し、その場合、該傾斜構造が、それぞれ該軸に対して鋭角の傾斜表面を有し、そして該傾斜構造のそれぞれの前側の出口面が、該軸の垂直方向に対して鋭角の面である上記の装置。
９．ΘＲが該軸に対する傾斜表面の角度を表し；
ΘＥＦが該軸の垂直方向に対する該構造のそれぞれの該前側の出口面の角度を表し；
該本体が屈折率（ＮＡ）を有する物質からなり；
Ｒｎが該本体の材料の屈折率対該本体を囲む媒体の屈折率の比であり；そして
該角度ΘＲおよびΘＥＦが、少なくとも式
【数１】
2009526368.tif 000002
に従って選択される上記の装置。
１０．該傾斜構造のそれぞれの前側の出口面から分散される該光が、或る角度の範囲にわたって該本体から該光を分散する上記の装置。
１１．該構造のそれぞれの下り面から分散された該光が、広い角度にわたって該本体から該光を分散する上記の装置。
１２．該傾斜構造のそれぞれの該前側の出口面が曲がっている上記の装置。
１３．該傾斜構造のそれぞれの該前側の出口面が平らである上記の装置。
１４．本体が、光を入力するための該１つの末端に相当する第１の末端および第２の末端を有し、該傾斜構造が、該第１の末端と第２の末端との間の次元に沿って延在し、そして該本体が、該第１の末端と第２の末端との間の該次元に沿って曲がっている上記の装置。
１５．本体が、光を入力するための該１つの末端に相当する第１の末端および第２の末端を有し、該傾斜構造が、装置の長さに相当する該第１の末端と第２の末端との間の次元に沿って延在し、そして該本体が該装置の幅に沿って曲がっている上記の装置。
１６．該本体が、該傾斜構造の該最初の１つと光を入力するための該１つの末端との間に入力部分を有する上記の装置。
１７．該入力部分が、該１つの末端から該傾斜構造を有する該本体への光の伝達を助けるように成形されている上記の装置。
１８．本体が、光を入力するための該１つの末端に相当する第１の末端および第２の末端を有し、該傾斜構造が、装置の軸に相当する該第１の末端と第２の末端との間の次元に沿って延在し、そして該入力部分が、該軸の少なくとも１つまたは該軸に垂直な次元に沿って、該第１の末端への該傾斜構造の最初の１つの方向にテーパーが付けられている上記の装置。
１９．該本体が円筒である上記の装置。
２０．該表面が頂部の表面であり、該傾斜構造が第１の傾斜構造であり、該本体が第１の部分と第２の部分とを有し、その場合、該第１の傾斜構造は該第１の部分の該頂部の表面に沿って設けられ、該装置は、さらに互いに交互する該底部の表面に沿う第２の傾斜構造および下り構造からなり、そして光が該本体の該第１の部分から受容されるとき、該第２の傾斜構造のそれぞれの傾斜面から反射により分散されて該頂部の表面を出るまで、または該傾斜面から伝達されて次の隣接する下り構造に戻されるまで、光が該本体の該第２の部分内で完全に内部で反射される上記の装置。
２１．該第２の傾斜構造のそれぞれが、該軸に対して鋭角である昇り表面からなり、そして該下り構造のそれぞれが、該軸の垂直方向に対して鋭角である下り表面従って該頂部の表面に実質的に平行な表面からなる上記の装置。
２２．該下り構造のそれぞれの該下り表面がプリズム状の表面である上記の装置。
２３．最初の平らな表面が、該１つの末端から該第２の傾斜構造の最初のものへ延在している裏面より低く、そして最初の平らな表面の後の下り構造のそれぞれの平らな表面が、光学装置の長さに沿ってその前の平らな表面より高いレベルにあり、それにより光学装置の厚さを薄くする上記の装置。
２４．該第２の傾斜構造および該下り構造のそれぞれのサイズが、該底部の表面に沿う厚さの減少に比例して増加する上記の装置。
２５．第２の傾斜構造のそれぞれの昇り表面が、該軸に対して次第に鋭くなる鋭角の複数の面に分節される上記の装置。
２６．傾斜構造のそれぞれの昇り表面が、連続して変化するスロープを有する上記の装置。
２７．少なくとも該第２の傾斜構造および下り構造に沿う底部の表面が、反射性材料を有する上記の装置。
２８．装置の該頂部の表面からの光の分散が、該傾斜構造のそれぞれの傾斜表面の高さ、該傾斜構造のそれぞれの傾斜表面の角度、該傾斜構造のそれぞれの前側の出口面の角度および該傾斜構造の隣接するものの間の間隔の１つ以上による上記の装置。
２９．傾斜表面の高さ、傾斜表面の角度および前側の出口面の角度が、該頂部の表面に沿って傾斜構造のそれぞれについて同じであり、そして該傾斜構造の隣接するものの間の間隔が、該表面に沿って同じである上記の装置。
３０．傾斜表面の高さ、傾斜表面の角度および前側の出口面の角度が、該表面に沿って該傾斜構造の１つ以上について変化する上記の装置。
３１．該傾斜構造の隣接するものの間の間隔が、該表面に沿って該傾斜構造の１つ以上について変化する上記の装置。
３２．さらに、該装置の該１つの末端中に入力される光に関する源を含む上記の装置。
３３．該源が、ランプ、シングルＬＥＤ、ＬＥＤの列または光ファイバー光源である上記の装置。
３４．該源および該装置が、ハウジングに配置される上記の装置。
３５．該ハウジングが、表面に設置可能である上記の装置。
３６．該装置がハウジングに配置され、そして該源が、照明を受容するための該ハウジングの外の入力末端および該装置に光を伝達するための該ハウジング中に延在する出力末端を有する光ファイバーからなる上記の装置。
３７．一連の構造体を有しかつ頂部の表面および底部の表面を有する本体からなる照明を導くための装置であって、該一連の構造体は装置の軸に相当する次元に沿って装置の１つの末端から延在し、
該構造体のそれぞれは、昇り表面とそれに続く下り表面をもち、該昇り表面および該下り表面は、該軸に対して傾斜して、光が該構造体の昇り表面および該底部の表面に沿ってそのすべてまたは実質的部分が内部的に反射される間、該構造体の該下り表面のそれぞれから該１つの末端で光が該本体に入力されるとき、光の分散を可能にすることを特徴とする照明を導くための装置。
３８．複数の傾斜構造および下り構造を有する底部の表面および頂部の表面を有する本体からなる照明を導くための装置であって、該傾斜構造および下り構造が該底部の表面に沿って互いに交互し、そして該傾斜構造および下り構造は、該頂部の表面と実質的に平行な装置の軸に相当する次元に沿って延在し、そして光が該本体の１つの末端から受容されるとき、該傾斜構造の１つから該頂部の表面からの出口へ反射により分散されて該頂部の表面から出るまで、または該下り構造の隣接する１つを経て該傾斜構造の１つを通って伝達されて該本体中に戻されるまで、光が該本体内ですべて内部的に反射されることを特徴とする照明を導くための装置。
３９．該傾斜構造のそれぞれが、該軸に対して鋭角の昇り表面からなり、該下り構造のそれぞれが、該軸の垂直方向に対して鋭角である下り表面からなる上記の装置。
４０．該下り構造のそれぞれの該下り表面がプリズム状の表面である上記の装置。
４１．最初の平らな表面が、該１つの末端から該傾斜構造の最初のものに延在する裏面よりも低く、最初の平らな表面の後の下り構造のそれぞれの平らな表面が、光学装置の長さに沿ってその前の平らな表面より高いレベルにあり、それにより光学装置の厚さを薄くする上記の装置。
４２．該傾斜構造および該下り構造のそれぞれのサイズが、該底部の表面に沿う厚さの減少に比例して増加する上記の装置。
４３．傾斜構造のそれぞれの昇り構造が、該軸に対して次第に鋭くなる鋭角の複数の面に分節される上記の装置。
４４．傾斜構造のそれぞれの昇り構造が、連続して変化するスロープを有する上記の装置。
４５．該底部の表面が反射性材料を有する上記の装置。
４６．さらに、該装置の該１つの末端中に入力される光を入力するための源を含む上記の装置。
４７．該源が、ランプ、シングルＬＥＤ、ＬＥＤの列または光ファイバー光源である上記の装置。
４８．該源および該装置がハウジングに配置される上記の装置。
４９．該ハウジングが表面に設置可能である上記の装置。
５０．該装置がハウジングに配置され、該源が照明を受容するための該ハウジングの外の入力末端および該装置へ光を伝達するために該ハウジング中に延在する出力末端を有する光ファイバーからなる上記の装置。
５１．頂部の表面および底部の表面、並びに装置の長さに沿って光を入力するための入力末端からの複数の連続する部分を有する本体からなる照明を導くための光学装置であって；
該部分の少なくとも１つの頂部の表面は、前側の出口面を有する複数の第１の傾斜構造を有し、その場合、光は、該頂部の表面に沿って該前側の出口面からの分散のために該部分の該１つ内で反射されることができ；
該部分の少なくとも１つ以外の中の少なくとも１つの底部の表面は、複数の第２の傾斜構造を有し、その場合、光は、該第２の傾斜構造の１つからの反射により分散されて該頂部の表面から出るために該部分の少なくとも１つ以外の中の該１つ内で反射されうることを特徴とする照明を導くための光学装置。
５２．光が、或る光の分散をもたらすために組み合わされた該第１の傾斜構造および該第２の傾斜構造から該光学装置を出る上記の光学装置。
５３．頂部の表面および底部の表面を有する光誘導装置および該光誘導装置中に光を入力するための光源からなる照明装置であって；
該頂部の表面および底部の表面の少なくとも１つは、該頂部の表面に沿って照明をもたらす鋭角の傾斜構造のパターンからなり、その場合、該傾斜構造が底部の表面に沿って存在するとき、該傾斜構造は該頂部の表面から光を導き、そして該傾斜構造が該頂部の表面に沿って存在するとき、該傾斜構造は該傾斜構造の鋭角の出口面から光を導くことを特徴とする照明装置。
５４．さらに、少なくとも該光誘導装置を有するハウジングを含む上記の装置。
５５．該ハウジングが、さらに該光源を有する上記の装置。
５６．該ハウジングが、表面に設置可能である上記の装置。
５７．該光源が、ランプ、シングルＬＥＤ、ＬＥＤの列または光ファイバー光源である上記の装置。